(57)【要約】      （修正有）【課題】包装箱の機能及び目的を損なうことなく、包装箱の製造コスト及び在庫のコストの低減可能な包装箱を提供する。【解決手段】複数の面から構成されるシート材を折り曲げて形成される包装箱本体２を少なくとも有し、包装箱本体には、複数の面における正面側壁部と、背面側壁部３と正面側壁部および背面側壁部と隣接する左面側壁部６Ｌ及び右面側壁部との間には、少なくとも正面側壁部および背面側壁部を覆う包装部材１００に設けられた挿入フラップ１４０Ｌが挿入される複数の挿入口２６、２６’が設けられている。【選択図】図１
0003188022.tif 000002
【実用新案登録請求の範囲】
【請求項１】
複数の面から構成されるシート材を折り曲げて形成される包装箱本体を少なくとも有し、
前記包装箱本体には、前記複数の面における一の面と、当該一の面と隣接する面との間には、少なくとも前記一の面を覆う包装部材に設けられた挿入フラップが挿入される複数の挿入口が設けられていることを特徴とする
包装箱。
【請求項２】
前記包装箱本体は、
下面を構成する下面部と、
前記下面部に隣接して設けられている複数の側壁部と、
所定の前記側壁部の前記下面部と接している辺と反対側の辺から延出する蓋部と、を備え、
前記蓋部は、前記所定の側壁部と反対側の辺に設けられた第一の蓋係止部と、
前記蓋部が延出する側壁部と対向する側壁部に設けられ、前記第一の蓋係止部と係止、離脱が可能な第二の蓋係止部と、
を備えることを特徴とする請求項１に記載の包装箱。
【請求項３】
前記一の面を少なくとも覆う包装面と、該包装面における前記複数の挿入口に対応する位置から延出する複数の前記挿入フラップと、
が設けられている包装部材をさらに備えていることを特徴とする
請求項１または請求項２に記載の包装箱。
【請求項４】
前記包装面は、
前記一の面を覆う第一の包装面と、
該第一の包装面から延出し、前記包装箱の面のうち、前記一の面以外の他の面を覆う第二の包装面を少なくとも有し、
前記第二の包装面には、前記第二の包装面の延出方向と交差する方向に延出する他の挿入フラップが設けられ、
前記他の面における前記他の挿入フラップと対応する位置には、前記他の挿入フラップが挿入される他の挿入口が設けられている
ことを特徴とする
請求項３に記載の包装箱。
【請求項５】
前記他の挿入フラップが設けられた前記第二の包装面は、前記一の面に対して反対側の面である背面を覆うことを特徴とする
請求項３または請求項４に記載の包装箱。
【請求項６】
前記第二の包装面は、少なくとも前記一の面と隣接する両隣りの面と、前記一の面と反対側の背面を覆うものであり、前記第一の包装面と対向する辺部には、第一の係止部が設けられ、
前記第一の包装面における前記第二の包装面と対向する辺部には、前記第一の係止部と係止、離間が可能な第二の係止部が設けられていることを特徴とする
請求項３から請求項５のいずれか一項に記載の包装箱。
【請求項７】
前記他の挿入フラップにおける前記第二の包装面と隣接する辺のうち、前記第一の包装面から離れた側の辺は、前記他の挿入フラップが設けられた前記第二の包装面と、該第二の包装面と隣接する包装面であって前記第一の包装面側の包装面との境界であって、前記他の挿入フラップが設けられた側の境界の端部を中心とし、前記他の挿入口における前記境界の端部から離れた側の開口端部までの距離を半径とする円の円周上を含む内側領域に設けられていることを特徴とする
請求項４から請求項６のいずれか一項に記載の包装箱。
【考案の詳細な説明】
【技術分野】
【０００１】
本考案は、包装箱に関する。
【背景技術】
【０００２】
例えばボール紙から形成される略直方体の包装箱は、４つの側壁部と、下側の蓋部と、上側の蓋部から構成され、様々な商品の輸送や在庫の際に用いられている。また、商品の包装箱は、時として商品等を包装箱に収納したままの状態で店舗等に陳列される場合もあるため、その包装箱の外装に、内容物である商品の写真やその販売名、商品の型式等の内容物の固有の情報が、オフセット印刷等により広告的な態様で印刷される場合がある。
【０００３】
一方、商品の輸送及び展示に用いられる包装箱として、内容物を収容する内箱と、当該内箱と外接して包装箱の外装を形成する外箱からなる包装箱が知られている（例えば特許文献１参照）。
【先行技術文献】
【特許文献】
【０００４】
【特許文献１】実用新案登録第３１７４２１８号公報
【考案の概要】
【考案が解決しようとする課題】
【０００５】
上述の様に外装に印刷される印刷内容は、商品のモデルや機種によって異なったり、さらには海外などに輸出する際には、その仕向け地の言語によって異なったりするため、同一容積の包装箱であっても他の商品に流用することができなかった。そのため、例え同一商品の包装箱であっても商品の種類またはモデル毎に、場合によっては仕向け地毎に、様々な種類の包装箱を用意、在庫する必要があり、包装箱の製造コストや、在庫コストの増加を招いていた。
【０００６】
さらには、モデルチェンジや終売等の理由により、商品の販売名や型式、外観等が変更された場合には、印刷内容に変更が生じるため、例え商品等の容量に変更がなくても以前の包装箱をそのまま使用することができなかった。このため、その様な場合には在庫されていた以前の包装箱を全て廃棄し、新たな包装箱を製造しなければならず、更なるコストの増加を招いていた。
【０００７】
また包装箱は、通常一枚のシート材から形成されるため、包装箱の外装に商品等の情報を印刷する場合には、包装箱を形成するシート材の全ての部分を印刷することになり、印刷コストが増加していた。さらには、コートボールなどのシート材の大きさは一般に標準化された大きさであるため、標準よりも大きな包装箱を製造する場合には、二枚のシートに分けて製造する必要があり、貼り合わせ等の追加の製造工数が発生してしまうという問題もあった。
【０００８】
一方、内容物を収容する内箱と、当該内箱と外接して包装箱の外装を形成する外箱からなる包装箱が知られている（例えば特許文献１）。このような包装箱を用いて外箱にのみ商品の固有情報を印刷しておけば、外箱のみを交換するだけの作業で包装箱を他の商品と共通化することが可能となる。
【０００９】
しかしながら、当該包装箱は、輸送中などに内箱が外箱から脱落してしまうことを防止するための固定手段が設けられており、容易に開梱をすることができなかった。具体的には、当該包装箱は、内箱のフラップと外側のフラップが重合され、テープ等により固定されているため、開梱の際には、フラップ等に設けられた分離手段によって所定箇所を切り取り、内箱と外箱の固定を解除する必要があった。また、一旦開梱してしまうと、切り取られた当該所定の箇所を元に戻すことができないため、包装箱を再使用することができないという問題もあった。
【００１０】
本考案は、上記の課題を解決するためになされたものであって、包装箱の機能及び目的を損なうことなく、包装箱の製造コスト及び在庫のコストの低減可能な包装箱を提供することを目的とするものである。
【課題を解決するための手段】
【００１１】
上記目的を達成するために、本考案は、以下の手段を提供する。
本考案の包装箱は、複数の面から構成されるシート材を折り曲げて形成される包装箱本体を少なくとも有し、前記包装箱本体には、前記複数の面における一の面と、当該一の面と隣接する面との間には、少なくとも前記一の面を覆う包装部材に設けられた挿入フラップが挿入される複数の挿入口が設けられていることを特徴とする。
【００１２】
本考案の包装箱によれば、別に構成される包装部材に設けられた挿入フラップを、挿入口に差し込むだけで、当該包装部材を包装箱本体に固定することが可能で、シート材を折り曲げるだけの容易な作業で形成可能な包装箱を提供することができる。
【００１３】
さらに上記考案において、前記包装箱本体は、下面を構成する下面部と、前記下面部に隣接して設けられている複数の側壁部と、所定の前記側壁部の前記下面部と接している辺と反対側の辺から延出する蓋部とを備え、前記蓋部は、前記所定の側壁部と反対側の辺に設けられた第一の蓋係止部と、前記蓋部が延出する側壁部と対向する側壁部に設けられ、前記第一の蓋係止部と係止、離脱が可能な第二の蓋係止部と、を備えることを特徴とすることが好ましい。
【００１４】
このように蓋部を有した包装箱であれば、より確実に内容物を包装することが可能である。また、挿入口を有していることから包装部材を取り付けて包装が可能なほか、包装部材を取り付けない包装箱本体単体でも、簡易な包装箱としても使用可能である。
【００１５】
さらに上記考案において、前記一の面を少なくとも覆う包装面と、該包装面における前記複数の挿入口に対応する位置から延出する複数の前記挿入フラップとが設けられている包装部材をさらに備えていることを特徴とすることが好ましい。
【００１６】
この様な包装箱であれば、包装部材に設けられた挿入フラップを包装箱本体の挿入口に差し込むだけで、包装箱本体の所定の面を包装部材によって脱着可能に包装することができる。このような包装箱であれば、例えば当該包装部材に内容物である商品等の固有情報を印刷し、包装箱本体には商品に依拠しない共通の情報を印刷しておけば、包装部材を交換するだけで他の商品等の包装にも用いることが可能である。その際、この包装部材は、接着剤等の固定手段を用いることなく包装箱本体に固定されているため、その交換作業は容易に行うことが可能である。また、商品等の固有情報をオフセット印刷等によって包装部材に印刷する場合には、その印刷面積は直接包装箱に印刷する場合と比較して狭いため、その印刷コストを低減することも可能となる。
【００１７】
さらに上記考案において、前記包装面は、前記一の面を覆う第一の包装面と、該第一の包装面から延出し、前記包装箱の面のうち、前記一の面以外の他の面を覆う第二の包装面を少なくとも有し、前記第二の包装面には、前記第二の包装面の延出方向と交差する方向に延出する他の挿入フラップが設けられ、前記他の面における前記他の挿入フラップと対応する位置には、前記他の挿入フラップが挿入される他の挿入口が設けられていることを特徴とすることが好ましい。
【００１８】
このような包装箱では、内容物を直接包装する包装箱の複数の面を、包装部材によって包装することが可能となる。例えば、包装箱の面のうち、顧客の目に止まりやすい複数の面を、商品等の固有情報が印刷された包装部材にて包装することにより、販促効果のある包装箱を提供することが可能となる。また、所定の一の面だけでなく、他の面においても挿入口が設けられているため、包装部材を複数の面においてより確実に固定することができる。
【００１９】
さらに上記考案において、前記他の挿入フラップが設けられた前記第二の包装面は、前記一の面に対して反対側の面である背面を覆うことを特徴とすることが好ましい。
このような包装箱であれば、より多くの面を包装部材によって包装することができる。例えば、顧客の最も目に止まりやすい面と、その反対側の背面を、商品等の固有情報が印刷された包装部材にて包装することにより、販促効果をさらに増した包装箱とすることが可能である。
【００２０】
さらに上記考案において、前記第二の包装面は、少なくとも前記一の面と隣接する両隣りの面と、前記一の面と反対側の背面を覆うものであり、前記第一の包装面と対向する辺部には、第一の係止部が設けられ、前記第一の包装面における前記第二の包装面と対向する辺部には、前記第一の係止部と係止、離間が可能な第二の係止部が設けられていることを特徴とすることが好ましい。
【００２１】
このような包装箱であれば、包装部材が包装箱本体の周囲をスリーブ状に包装することが可能となる。従前のスリーブ状の包装部材にて包装箱を包装する場合には、そのままでは内部の包装箱本体が包装部材から抜け落ちてしまうため、スリーブ状の包装部材と包装箱本体を、テープ等の追加の固定部材で固定する必要があった。一方、本包装箱では、包装部材は挿入フラップによって包装箱本体に固定されているため、追加の固定部材を用いる必要がない。また、包装部材の第一の包装面と第二の包装面は、第一の係止部及び第二の係止部によって脱着可能に係止されているため、包装部材の取り付け及び取り外しは容易である。さらに、包装部材の第一の包装面と第二の包装面が係止されているため、包装部材に床面や他の包装箱との摩擦等により、挿入フラップを引き抜く方向に力が加わった場合であっても、包装部材がはがれにくくなっている。
【００２２】
さらに上記考案において、前記他の挿入フラップにおける前記第二の包装面と隣接する辺のうち、前記第一の包装面から離れた側の辺は、前記他の挿入フラップが設けられた前記第二の包装面と、該第二の包装面と隣接する包装面であって前記第一の包装面側の包装面との境界であって、前記他の挿入フラップが設けられた側の境界の端部を中心とし、前記他の挿入口における前記境界の端部から離れた側の開口端部までの距離を半径とする円の円周上を含む内側領域に設けられていることを特徴とすることが好ましい。
【００２３】
包装箱に包装部材を取り付ける際には、はじめに第一の包装面に設けられた挿入フラップを所定の挿入口に挿入し、第一の包装面を包装箱本体の所定の一の面に固定する。次に、その隣接する面を、第一の包装面に隣接する包装面にて順次包装していく。そして、その他の挿入フラップの設けられた包装面にて包装する際には、既に包装箱本体を包装している包装面との境界線の端部を軸に、その他の挿入フラップを回転させながら、対応するその他の挿入口に挿入し、当該包装面を包装箱本体に固定する。この際、挿入フラップの辺が上記の様に設けられていれば、その他の挿入フラップの辺が、対応する挿入口の端部に接触することはないため、容易に挿入フラップを挿入することが可能となる。また、当該包装面を取り外す際にも、容易に当該その他の挿入フラップを引き抜くことが可能となる。
【考案の効果】
【００２４】
本考案の包装箱によれば、別に構成される包装部材に設けられた挿入フラップを、包装箱本体に設けられた挿入口に差し込むだけで、当該包装部材を包装箱本体に固定することが可能な包装箱を提供できる。また、包装箱本体および包装部材は、シート材を折り曲げるだけの容易な作業で形成可能であり、当該包装部材に、内容物である商品等の固有情報を印刷しておけば、当該包装部材を交換するだけで他の内容物の包装箱に用いることの可能な包装箱を提供することもできる。このため、包装箱の在庫コストや包装箱の製造コストを低減することも可能となり、さらには、包装部材の印刷面積は小さくて済むことから、包装箱の印刷コストを低減することも可能となる。また、本考案に係る包装箱では、包装箱本体と包装部材を別のシート部材から形成することが可能であるため、従来一枚のシート部材からは形成できなかったような大きさの包装箱であっても、その大きさによっては、シート部材を貼り合わせるための追加の作業を行うことなく形成することができる。
【図面の簡単な説明】
【００２５】
【図１】本考案の第一の実施形態に係る包装箱の構成を説明する斜視図である。
【図２】本考案の第一の実施形態に係る包装箱本体の構成を説明する斜視図である。
【図３】本考案の第一の実施形態に係る包装箱本体の展開図である。
【図４】本考案の第一の実施形態に係る包装部材の展開図である。
【図５】本考案の第一の実施形態に係る包装箱の組み立て方法を説明する斜視図である。
【図６】本考案の第二の実施形態に係る包装箱の構成を説明する斜視図である。
【図７】本考案の第二の実施形態に係る包装箱本体の構成を説明する斜視図である。
【図８】本考案の第二の実施形態に係る包装箱本体の展開図である。
【図９】本考案の第二の実施形態に係る包装部材の展開図である。
【図１０】本考案の第二の実施形態に係る包装箱の組み立て方法を説明する斜視図である。
【考案を実施するための形態】
【００２６】
〔第一の実施形態〕
以下、本考案の第一の実施形態に係る包装箱について図１から図５を参照しながら説明する。本実施形態では、包装箱をデジタルカメラなどの家電製品の包装箱に適用した例として説明をする。なお、包装箱の内容物としては、衣類や食料品または工業用品等、様々なものでよく、特にこれらに限定されるものではない。
【００２７】
なお、以降の説明において、包装箱１の内容物を収容する領域を包装箱１の内側または単に内側と記載し、包装箱１の各側壁及び下面部によって区画された、包装箱１の内側と反対側の領域を包装箱１の外側または単に外側と記載する。また、右側、左側、上側、下側の各方向は各図中に図示する方向とする。
【００２８】
本実施形態に係る包装箱１は、図１及び図２に示す様に、背面側壁部３、正面側壁部５、右面側壁部６Ｒ、左面側壁部６Ｌ、及び下面部４からなる立方体の形状をした包装箱本体２と、包装箱本体２の所定の面を包装する包装部材１００とから主に構成されている。なお、本実施形態では包装箱本体２及び包装部材１００は、ボール紙製のシート材から構成されている例に適用して説明するが、厚紙などの他の公知材料からなるシート材であってもよく、特に限定するものではない。
【００２９】
以下、図２から図３を参照しながら包装箱本体２について説明する。
包装箱本体２において、背面側壁部３、正面側壁部５、右面側壁部６Ｒ、及び左面側壁部６Ｌのそれぞれの内側には、背面側内壁部１２、正面側内壁部８、右面側内壁部１６Ｒ、及び左面側内壁部１６Ｌがそれぞれ設けられている。また、背面側壁部３と背面側内壁部１２のそれぞれの上側の辺に隣接して背面側上面部１１が、正面側壁部５と正面側内壁部８のそれぞれの上側の辺に隣接して正面側上面部７が設けられている。同様に、右面側壁部６Ｒと右面側内壁部１６Ｒのそれぞれの上側の辺に隣接して右面側上面部１５Ｒが設けられ、左面側壁部６Ｌと左面側内壁部１６Ｌのそれぞれの上側の辺に隣接して左面側上面部１５Ｌが設けられている。
【００３０】
背面側内壁部１２、正面側内壁部８、右面側内壁部１６Ｒ、及び左面側内壁部１６Ｌのそれぞれの下側の辺に隣接して、内蓋部９が設けられている。この内蓋部９の辺ｋｋ’から、図２には図示されていない内蓋部支持部１０が下面部４に対して略垂直に延出している。この内蓋部支持部１０の辺ｍｍ’は下面部４と当接しており、内蓋部９が内容物の加重によって下面部４側に陥没してしまうことを防いでいる。
【００３１】
なお以降の記載において、背面側内壁部１２、正面側内壁部８、右面側内壁部１６Ｒ、左面側内壁部１６Ｌ、及び内蓋部９にて囲まれる上側の収納領域を収納領域Ａと記載する。そして、背面側壁部３、正面側壁部５、右面側壁部６Ｒ、左面側壁部６Ｌ、下面部４及び内蓋部９にて囲まれる下側の収納領域を収納領域Ｂと記載する。
【００３２】
内蓋部９は辺ｊｋ，辺ｋｋ’，辺ｋ’ｊ’の各部が対応する各内壁部と脱着可能に係止されているため、それらの係止を外し、辺ｊｊ’を軸として上側に動かすことが可能である。このため、内蓋部９の中央付近に設けられた切り抜き穴２３に指などを入れ、内蓋部９を上側に引き上げることにより、収納領域Ｂを解放し、収納領域Ｂに内容物を収納することができる。例えば、収納領域Ｂに付属品や取り扱い説明書などのアクセサリを収納したのち、内蓋部９を閉めて、デジタルカメラなどの電化製品を収納領域Ａに収納することなども可能である。
【００３３】
正面側壁部５と、右面側壁部６Ｒ及び左面側壁部６Ｌとの間には、それぞれ挿入口２６が設けられている。また、背面側壁部３と、右面側壁部６Ｒ及び左面側壁部６Ｌとの間には、それぞれ挿入口２６’が設けられている。この挿入口２６は、後述する包装部材１００に設けられた、挿入フラップ１５０Ｒ及び挿入フラップ１５０Ｌを挿入し、包装部材１００を包装箱本体２に固定する部分であり、挿入口２６’は、後述する包装部材１００に設けられた、挿入フラップ１４０Ｒ及び挿入フラップ１４０Ｌを挿入し、包装部材１００を包装箱本体２に固定する部分である。
【００３４】
左面側壁部６Ｌは、背面側壁部３の辺ｂｃと正面側壁部５の辺ｆｇのいずれも含む平面より、距離Ｔだけ外側に離れた位置に設けられている。このため、辺ｂｃと辺ｄｏの間、及び辺ｆｇと辺ｅｒの間に距離Ｔの幅の隙間が空いており、挿入口２６、及び挿入口２６’を形成している。また、右面側壁部６Ｒも同様に、背面側壁部３の辺ｂ’ｃ’と正面側壁部５の辺ｆ’ｇ’のいずれも含む平面から距離Ｔだけ外側に離れた位置に設けられている。このため、辺ｂ’ｃ’と辺ｄ’ｏ’の間、及び辺ｆ’ｇ’と辺ｅ’ｒ’の間に距離Ｔの幅の隙間が空いており、挿入口２６、及び挿入口２６’を形成している。なお、この距離Ｔの長さは、包装部材１００を構成するシート部材Ｄの厚さと略同一である。このように挿入口２６及び挿入口２６’を設けることにより、挿入フラップ１５０Ｒ、挿入フラップ１５０Ｌ、挿入フラップ１４０Ｒ、及び挿入フラップ１４０Ｌを、それぞれ挿入口２６、及び挿入口２６’に容易に挿入することができる。
【００３５】
包装部材１００を包装箱本体２に取り付けることにより、正面側壁部５が正面包装部１１０によって、背面側壁部３が背面包装部１３０によってそれぞれ包装される（図１参照。）。さらに、背面側上面部１１、正面側上面部７、左面側上面部１５Ｌ、及び右面側上面部１５Ｒを含む平面であって、点ｏ，ｒ，ｒ’，ｏ’によって囲まれる面（以降、包装箱本体２の上面と記載する。）が、上面包装部１２０によって包装される。この際、包装箱本体２の開口部となっている点ｈ，ａ，ａ’，ｈ’にて囲まれる領域（以下、単に領域ｈ，ａ，ａ’，ｈ’と記載する。他の領域についても同様。）が塞がれることにもなるため、上面包装部１２０は包装箱本体２の蓋（すなわち収納領域Ａの蓋）としての機能も果たすことになる。
【００３６】
なお，本実施形態において、包装箱本体２の正面側壁部５が、実用新案登録請求の範囲における一の面とされている。また、背面側壁部３及び包装箱本体２の上面が、実用新案登録請求の範囲における他の面とされ、さらに背面側壁部３は背面とされている。また、包装部材１００の正面包装部１１０が実用新案登録請求の範囲における第一の包装面と、上面包装部１２０及び背面包装部１３０が第二の包装面とされている。
【００３７】
図３は、包装箱本体２の展開図である。包装箱本体２は、一枚のボール紙製シート材を図３に示す様に形成したシート部材Ｃを、折り曲げ等の組み立て作業を行って形成される。
【００３８】
以降、図３を参照しながらシート部材Ｃの説明を行う。なお、図３の説明にあっては、シート部材Ｃの各部の名称を、対応する包装箱本体２の各部の名称を用いて説明する。例えば、点ｄ，ｅ，ｆ，ｆ’，ｅ’，ｄ’，ｃ’，ｃにて囲まれる領域は、包装箱本体２の下面部４となる部分であるため、図３の説明においても下面部４と記載する。また、図３において、破線は折り線を示しており、包装箱本体２を形成する際に折り曲げられる部分である。このようにシート部材Ｃに折り線部をあらかじめ設けておくことによって、包装箱本体２の組み立て作業が容易となる。
【００３９】
シート部材Ｃは、図３に示される様に、中心線ＡＡを中心に左右対称の形状をしており、その略中央部分にある領域ｄ，ｅ，ｆ，ｆ’，ｅ’，ｄ’，ｃ’，ｃが、下面部４である。下面部４の辺ｄｅ及び辺ｄ’ｅ’からは、辺ｃｃ’の伸びる方向に左面側壁部６Ｌ及び右面側壁部６Ｒがそれぞれ延出している。そして、左面側壁部６Ｌ及び右面側壁部６Ｒの辺ｏｒ及び辺ｏ’ｒ’からは、それぞれ辺ｄｏ及び辺ｄ’ｏ’の伸びる方向に、左面側上面部１５Ｌ及び右面側上面部１５Ｒが延出している。さらに左面側上面部１５Ｌ及び右面側上面部１５Ｒの辺ｐｑ及び辺ｐ’ｑ’からは、それぞれ辺ｄｏ及び辺ｄ’ｏ’の伸びる方向に、左面側内壁部１６Ｌ及び右面側内壁部１６Ｒが延出している。
【００４０】
左面側内壁部１６Ｌの辺のうち、辺ｐｑの反対側の辺の中央付近には、凹部２４Ｌが設けられている。右面側内壁部１６Ｒにも同様に、左面側内壁部１６Ｌと左右対称の位置に、凹部２４Ｒが設けられている。なお、この凹部２４Ｌ及び凹部２４Ｒは、後述する内蓋部９に設けられた凸部１９Ｌ及び凸部１９Ｒを脱着可能に係止する部分である。この係止により、内蓋部９は左面側内壁部１６Ｌ及び右面側内壁部１６Ｒに係止される。
【００４１】
下面部４の辺ｃｃ’からは、背面側壁部３が辺ｄｅの伸びる方向に延出している。この背面側壁部３の辺ｂｃ及び辺ｂ’ｃ’は、下面部４の辺ｄｅ及び辺ｄ’ｅ’の位置よりも、距離Ｔだけ中心線ＡＡ側に設けられている。この距離Ｔの長さは、包装部材１００を形成するシート部材Ｄの厚さと略同一の長さである。このように、辺ｂｃ及び辺ｂ’ｃ’を設けることで、包装箱本体２を組み立てるにあたり、背面側壁部３と左面側壁部６Ｌ及び右面側壁部６Ｒをそれぞれ下面部４に対して直交する様に折り曲げた際に、辺ｂｃと辺ｄｏとの間、及び辺ｂ’ｃ’と辺ｄ’ｏ’との間に距離Ｔの幅の挿入口２６’が形成される。なお、本実施形態において、この挿入口２６’が実用新案登録請求の範囲における他の挿入口とされている。
【００４２】
背面側壁部３の辺ｂｃ及び辺ｂ’ｃ’からは、辺ｂｂ’の延びる方向に、内側フラップ１３Ｌ及び内側フラップ１３Ｒがそれぞれ延出している。内側フラップ１３Ｌ及び内側フラップ１３Ｒの、点ｏ及び点ｏ’を含む角部には、それぞれ係止部１４Ｌ及び係止部１４Ｒが設けられている。
【００４３】
内側フラップ１３Ｌ及び内側フラップ１３Ｒは、それぞれ左面側壁部６Ｌ及び右面側壁部６Ｒの内側に配置され、後述する内側フラップ１７Ｌ及び内側フラップ１７Ｒとともに、背面側壁部３と正面側壁部５を固定する部分である。具体的には、係止部１４Ｌが、内側フラップ１７Ｌに設けられた係止部１８Ｌに脱着可能に係止されることにより、内側フラップ１３Ｌと内側フラップ１７Ｌが脱着可能に係止される。同様に、内側フラップ１３Ｒと内側フラップ１７Ｒも脱着可能に係止され、これらの係止により、背面側壁部３と正面側壁部５が相互に固定される。
【００４４】
背面側壁部３の辺ｂｂ’からは、背面側上面部１１が辺ｂｃの伸びる方向に延出し、背面側上面部１１の辺ａａ’からは背面側内壁部１２が辺ａｂの伸びる方向に延出している。なお、背面側内壁部１２の辺のうち、辺ａａ’の反対側の辺の中央部付近には、凹部２５が設けられている。この凹部２５は、後述する内蓋部９の辺ｋｋ’に設けられた凸部２１を係止する部分であり、これにより内蓋部９の辺ｋｋ’の部分は背面側内壁部１２に係止される。
【００４５】
下面部４の辺ｆｆ’からは、正面側壁部５が、辺ｄｅの伸びる方向に延出している。この正面側壁部５の辺ｆｇ及び辺ｆ’ｇ’は、下面部４の辺ｄｅ及び辺ｄ’ｅ’よりも、距離Ｔだけ中心線ＡＡ側に設けられている。この距離Ｔの長さは、包装部材１００を形成するシート部材Ｄの厚さと略同一の長さである。このように辺ｆｇ及び辺ｆ’ｇ’を設けることで、包装箱本体２を組み立てるにあたり、正面側壁部５と左面側壁部６Ｌ及び右面側壁部６Ｒをそれぞれ下面部４に対して直交する様に折り曲げた際に、辺ｆｇと辺ｅｒとの間、及び辺ｆ’ｇ’と辺ｅ’ｒ’との間に距離Ｔの幅の挿入口２６が形成される。
【００４６】
正面側壁部５の辺ｆｇ及び辺ｆ’ｇ’からは、内側フラップ１７Ｌ及び内側フラップ１７Ｒがそれぞれ辺ｇｇ’の伸びる方向に延出している。内側フラップ１７Ｌの角部のうち、辺ｆｇから離れ、辺ｅｒに近い角部には、係止部１８Ｌが設けられている。同様に内側フラップ１７Ｒにも、内側フラップ１７Ｌと左右対称の位置に、係止部１８Ｒが設けられている。
【００４７】
内側フラップ１７Ｌ及び内側フラップ１７Ｒは、前述の様に、それぞれ左面側壁部６Ｌ及び右面側壁部６Ｒの内側に配置され、背面側壁部３と正面側壁部５を互いに固定する部分である。具体的には係止部１８Ｒが、係止部１４Ｒに脱着可能に係止されることにより、内側フラップ１３Ｒと内側フラップ１７Ｒが脱着可能に係止され、係止部１８Ｌが、係止部１４Ｌに脱着可能に係止されることにより、内側フラップ１３Ｌと内側フラップ１７Ｌが脱着可能に係止される。このようにして、背面側壁部３と正面側壁部５が相互に固定される。
【００４８】
正面側壁部５の辺ｇｇ’からは、正面側上面部７が辺ｆｇの延びる方向に延出している。そして、正面側上面部７の辺ｈｈ’からは、正面側内壁部８が辺ｆｇの延びる方向に延出している。さらに、正面側内壁部８の辺ｉｉ’の辺に含まれる線分ｊｊ’から内蓋部９が辺ｈｉの延びる方向に延出している。
【００４９】
内蓋部９は、包装箱本体２の下側の収納領域である収納領域Ｂの蓋部であるとともに、収納領域Ａに収納される内容物の加重を支える収納領域Ａの底面部でもある。この内蓋部９の中央付近には、切り抜き穴２３が設けられている。この切り抜き穴２３は、内蓋部９を開ける際などに、作業者が指などを入れて内蓋部９を保持する部分である。
【００５０】
内蓋部９の辺ｊｋ及び辺ｊ’ｋ’の中心部分から、辺ｊｊ’の延びる方向に凸部１９Ｌ及び凸部１９Ｒが延出している。この凸部１９Ｌ及び凸部１９Ｒは、前述の様に凹部２４Ｌ及び凹部２４Ｒによって脱着可能に係止される部分である。
【００５１】
内蓋部９の辺ｋｋ’から、内蓋部支持部１０が辺ｊｋの延びる方向に延出している。内蓋部支持部１０は領域ｋ，ｌ，ｍ，ｍ’，ｌ’，ｋ’からなる、中心線ＡＡを中心とした左右対称の六角形状に形成されたものである。この内蓋部支持部１０は、包装箱本体２において、その辺ｍｍ’が下面部４の内側の面と当接し、内蓋部９を支持する部分である。
【００５２】
内蓋部支持部１０の辺ｋｋ’の中心付近には、Ｕ字状の切り込み２２が設けられ、凸部２１及び切り欠き２０を区画している。この凸部２１は、前述の様に、前記凹部２５と脱着可能に係止される部分であって、この係止により内蓋部９の辺ｋｋ’は背面側内壁部１２に脱着可能に係止される。また、凸部２１は包装箱本体２を形成した際に、背面側壁部３の内側の面と当接し、背面側壁部３を内側から支持する。
【００５３】
図４は、包装部材１００の展開図である。包装部材１００は、一枚のボール紙製のシート部材を図４に示す様な形状に成形されたシート部材Ｄを、折り曲げ作業を行って形成される。
【００５４】
以降、図４を参照しながらシート部材Ｄの説明を行う。なお、説明にあっては、図３の説明と同様に、シート部材Ｄの各構成の名称を、対応する包装箱１の各部の名称を用いて説明する。また、図４において、破線は折り線を示しており、包装箱１を形成する際に折り曲げられる部分である。
【００５５】
図４に示される様に、シート部材Ｄの中心に位置する領域ｔ，ｕ，ｕ’，ｔ’が、上面包装部１２０である。この上面包装部１２０は、包装箱本体２の上面を包装する部分であるとともに、包装箱本体２の開口部分（領域ｈ，ａ，ａ’，ｈ’）を塞ぐ蓋の役割をする部分でもある。
【００５６】
上面包装部１２０の辺ｕｕ’からは、線分ｔｕの延びる方向に正面包装部１１０が延出している。この正面包装部１１０は、包装箱本体２の正面側壁部５の外側の面を包装する部分であり、包装箱１の正面側の外装を形成する部分である。
【００５７】
正面包装部１１０の辺ｕｖ及び辺ｕ’ｖ’からは、辺ｕｕ’の延びる方向に、挿入フラップ１５０Ｌ及び挿入フラップ１５０Ｒがそれぞれ延出している。この挿入フラップ１５０Ｌ及び挿入フラップ１５０Ｒは、挿入口２６に挿入され、包装部材１００を固定する部分である。
【００５８】
上面包装部１２０の辺ｔｔ’からは、背面包装部１３０が延出している。この背面包装面の辺ｓｔ及び辺ｓ’ｔ’からは、辺ｔｔ’の延びる方向に、それぞれ挿入フラップ１４０Ｌ及び挿入フラップ１４０Ｒが延出している。また、背面包装部１３０の辺ｓｓ’の中央部分には、凹部１６０が設けられている。この凹部１６０は、背面包装部１３０を包装箱本体２から外す際に、作業者が指等をかける部分である。
【００５９】
挿入フラップ１４０Ｒの角部１６０Ｒは、円弧状にカーブしている。この角部１６０Ｒは、包装箱１において、包装部材１００上の点ｔと、挿入口２６’の辺ｃｄとの距離（図１参照。）を半径とし、前記点ｔを中心としてシート部材Ｅを含む平面に描かれる円周上に設けられている。同様に、挿入フラップ１４０Ｌの角部１６０Ｌも、角部１６０Ｒと左右対称の形状に設けられている。
【００６０】
このように角部１６０Ｒ及び角部１６０Ｌを設ければ、挿入フラップ１４０Ｒ及び挿入フラップ１４０Ｌを挿入口２６’に挿入または引き抜く際に、角部１６０Ｒ及び角部１６０Ｌが、挿入口２６’の線部ｃｄ及び線分ｃ’ｄ’と干渉することを防ぐことができる。このため、包装部材１００の脱着を容易にすることができる。なお、本実施形態において、挿入フラップ１４０Ｒ及び挿入フラップ１４０Ｌが、実用新案登録請求の範囲における他の挿入フラップとされている。
【００６１】
次に、包装箱１の組み立て方法について説明をする。なお、以下の記載は組み立て方法の例示であって、これに限定される訳ではなく、本考案の趣旨を逸脱しない範囲の他の組み立て方法であってもよい。
【００６２】
はじめに、シート部材Ｃを折り曲げ、包装箱本体２を形成する。具体的には、背面側壁部３、正面側壁部５、左面側壁部６Ｌ、及び右面側壁部６Ｒを辺ｃｃ’，ｆｆ’，ｄｅ，ｄ’ｅ’を境に、下面部４に対して直交する様に内側に折り曲げる。この際、内側フラップ１３Ｌ及び内側フラップ１３Ｒを、それぞれ辺ｂｃ及び辺ｂ’ｃ’を境に背面側壁部３と直交する様に内側に折り曲げておく。また、内側フラップ１７Ｌ及び内側フラップ１７Ｒも辺ｆｇ及び辺ｆ’ｇ’を境に、正面側壁部５と直交するように内側に折り曲げておく。
【００６３】
係止部１４Ｒを係止部１８Ｒに係止するとともに、係止部１４Ｌを係止部１８Ｌに係止し、背面側壁部３と正面側壁部５を固定する。次に、正面側上面部７及び正面側内壁部８を辺ｇｇ’及び辺ｈｈ’にて内側に折り返す。この際、内蓋部９が下面部４と略平行となるように線分ｉｉ’にて折り曲げ、内蓋部支持部１０が内蓋部９から垂直に下面部４に向かって突出する様に辺ｋｋ’にて折り曲げておく。
【００６４】
上記の様に折り曲げた正面側上面部７、正面側内壁部８、内蓋部９及び内蓋部支持部１０を、包装箱本体２の内側に、内蓋部支持部１０の辺ｍｍ’が下面部４の内側の面に当接するまで入れる。次に、背面側上面部１１及び背面側内壁部１２を、辺ａａ’及び辺ｂｂ’にて内側に折り返し、凹部２５を内蓋部９の凸部２１に係止させる。
【００６５】
更に、左面側上面部１５Ｌ、及び左面側内壁部１６Ｌを辺ｏｒ及び辺ｐｑにて内側に折り返し、凹部２４Ｌを内蓋部９の凸部１９Ｌに係止させる。同様に右面側上面部１５Ｒ、及び右面側内壁部１６Ｒを辺ｏ’ｒ’及び辺ｐ’ｑ’にて内側に折り返し、凹部２４Ｒを内蓋部９の凸部１９Ｒに係止させる。
【００６６】
以上の手順によって、接着剤等の固定部材を用いることなく、包装箱本体２が形成される。
次に、包装部材１００の取り付け方法について説明をする。
【００６７】
まず、挿入フラップ１５０Ｒ及び挿入フラップ１５０Ｌを、正面包装部１１０の正面側壁部５と接する面の方に、正面包装部１１０と直交する様に辺ｕｖ及び辺ｕ’ｖ’にて、折り曲げる。挿入フラップ１４０Ｒ及び挿入フラップ１４０Ｌも同様に、背面包装部１３０の背面側壁部３と接する面の方向に、背面包装部１３０と直交する様に、辺ｓｔ及び辺ｓ’ｔ’にて、折り曲げる。
【００６８】
包装箱本体２の正面側壁部５に包装部材１００の正面包装部１１０を近接させ、挿入フラップ１５０Ｒ及び挿入フラップ１５０Ｌを挿入口２６にそれぞれ挿入する（図５参照。）。次に、上面包装部１２０を辺ｕｕ’にて折り曲げ、包装箱本体２の上面に重ね合わせる。そして、背面包装部１３０を辺ｔｔ’にて折り曲げ、挿入フラップ１４０Ｒ及び挿入フラップ１４０Ｌを挿入口２６’に挿入しながら、背面包装部１３０を正面側壁部５に重ね合わせる（図１参照。）。
【００６９】
包装部材１００を包装箱本体２から取り外す際には、上記と逆の手順にて行う。すなわち、背面包装部１３０の凹部１６０に指等をかけ、辺ｔｔ’を軸として挿入フラップ１４０Ｒ及び挿入フラップ１４０Ｌを引き抜く方向に背面包装部１３０を引き離す。次に、背面包装部１３０、上面包装部１２０、正面包装部１１０が略同一平面状になるように各面を伸ばし、最後に正面包装部１１０を、挿入フラップ１５０Ｒ及び挿入フラップ１５０Ｌを引き抜く方向に引き離す（図５参照。）。
【００７０】
上記の構成からなる包装箱１によれば、シート部材Ｃを折り曲げるだけの作業で、内容物を収納する包装箱本体２が形成できる。そして、シート部材Ｄを折り曲げて形成した包装部材１００の挿入フラップ１５０Ｒ及び挿入フラップ１５０Ｌを、包装箱本体２に設けられた挿入口２６に挿入し、挿入フラップ１４０Ｒ及び挿入フラップ１４０Ｌを、包装箱本体２に設けられた挿入口２６’に挿入するだけの簡単な作業で、包装箱本体２の所定の面を包装することができる。この挿入フラップ１４０Ｒの角部１６０Ｒ、及び挿入フラップ１４０Ｒの角部１６０Ｌは、挿入口２６’の辺ｃｄ及び辺ｃ’ｄ’と当接することのないように形成されているため、包装部材１００の脱着を容易に行うことができる。
【００７１】
さらに、内容物を収容する包装箱本体２と包装部材１００を別の構成としていることから、包装箱本体２を内容量の同一の商品等と共通化して使用することができ、包装箱の製造コストや在庫のコストを低減することが可能である。具体的には、例えば、包装箱本体２の外装には、内容物である商品の製造者名等の各商品共通の情報を印刷しておき、包装部材１００には、商品の種類やモデルに特有の情報や、仕向地の言語による表記などの商品等の固有情報を印刷しておく。このようにすれば、包装部材１００を取り替えるだけで、同一の包装箱本体２を、異なるモデルの包装箱や、異なる仕向地向けの包装箱に用いることが可能となる。
【００７２】
また、包装部材１００の外装となる部分の面積は、通常の包装箱の外装面積と比べて小さいため、包装箱の外装部分の印刷コストを低減することも可能である。具体的には、例えば包装部材１００の外装となる面に商品の写真などの商品等の固有情報をオフセット印刷等にて広告的態様で印刷し、包装箱本体２には、商品共通の情報を印刷コストの安いフレキソ印刷等で印刷すれば、販促効果のある外装のまま、印刷コストを低減することができる。
【００７３】
さらに、本考案にかかる包装箱本体２には、蓋となる部分がないため、包装箱本体２を形成するために必要なシート材は従前と比較して少なくて済む。また、包装箱本体２と包装部材１００は別に構成されているため、これらを別のシート材から形成することが可能である。つまり、従来、二枚のシート材をつなぎ合わせなければ形成できなかったような大きさの包装箱であっても、その大きさによっては、それぞれ一枚のシート材から包装箱本体２及び包装部材１００を形成することが可能であり、シート材のつなぎ合わせ等の追加の作業を省略できる。
【００７４】
〔第二の実施形態〕
次に、本考案の第二の実施形態について図６から図１０を参照しながら説明する。
本実施形態の包装箱１の基本構成は、第一の実施形態とほぼ同様であるが、第一の実施形態とは、包装箱本体の上面部の構成、包装部材が包装する包装箱本体の面の数、及び挿入フラップの数などが主に異なっている。
【００７５】
以下、本実施形態である包装箱２００について詳細に説明をする。なお、説明にあっては、第一の実施形態と同一の構成には、同一の符号を用い、第一の実施形態と異なる部分について主に説明を行い、重複する部分についてはその記載を省略する。
【００７６】
本考案の第二の実施形態にかかる包装箱２００は、包装箱本体２１０と包装部材３００から主に構成されている（図６参照。）。包装部材３００は包装箱本体２１０の正面側壁部５を包装する正面包装部３１０、下面部４を包装する下面包装部３２０、背面側壁部３を包装する背面包装部３３０、蓋部２１９を包装する上面包装部３４０がそれぞれ設けられている。さらに、正面包装部３１０と、上面包装部３４０を係止する包装部材係止部３７０及び包装部材係止部３９０もそれぞれ設けられている。
【００７７】
包装箱本体２１０の背面側壁部３の辺ａ１ａ１’からは、蓋部２１９が延出しており、蓋部２１９の辺ａ１ａ１’の反対側の辺の中央からは、正面側壁部５に向かって蓋部２１９に対して垂直に突出部２２０が突出している。そして突出部２２０の中央付近には蓋係止部２２１が設けられている（図７参照。）。
【００７８】
正面側壁部５の辺ｇｇ’の中央付近で、前記蓋係止部２２１と対向する部分に、係止爪部２１５ａ及び係止爪部２１５ｂと切り抜き部２１６とが設けられている（図７参照。）。蓋部２１９を閉める際には、突出部２２０を切り抜き部２１６に挿入しながら蓋部２１９を閉める。その後、係止爪２１５ａを蓋係止部２２１に挿入することで、蓋部２１９が係止され、蓋部２１９が自然と開いてしまうことを防いでいる。なお、係止爪２１５ａ及び係止爪部２１５ｂと切り抜き部２１６とが蓋係止部２１８である。
【００７９】
本実施形態において、正面側壁部５が実用新案登録請求の範囲における一の面とされ、蓋部２１９及び下面部４が隣接する両隣の面と、背面側壁部３が背面とされている。また、蓋係止部２２１が実用新案登録請求の範囲における第一の蓋係止部とされ、蓋係止部２１８が第二の蓋係止部とされている。
【００８０】
図８は、包装箱本体２１０の展開図である。なお、包装箱本体２１０は、一枚のボール紙製シート材を図８に示す様な形状に形成したシート部材Ｅを、折り曲げ等の組み立て作業を行って形成される。なお、図３と同様、図中の破線は折り線を示している。
【００８１】
以降、図８を参照しながらシート部材Ｅの構成の説明を行う。なお、前述のとおり、説明は第一の実施形態と同一の部分についてはその記載を省略する。
背面側壁部３の辺ｂｃ及び辺ｂ’ｃ’からは、それぞれ内側フラップ１３Ｌ及び内側フラップ１３Ｒが左右対称に延出ている。ここで、左面側壁部６Ｌの辺ｄｏと内側フラップ１３Ｌの辺ｃｏ１との辺の間、及び右面側壁部６Ｒの辺ｄ’ｏ’と内側フラップ１３Ｒの辺ｃ’ｏ１’との辺の間には、隙間が設けられている。
【００８２】
正面側壁部５の辺ｆｇ及び辺ｆ’ｇ’からは、それぞれ内側フラップ１７Ｌ及び内側フラップ１７Ｒが左右対称に延出している。ここで、左面側壁部６Ｌの辺ｅｒと内側フラップ１７Ｌの辺ｆｆ１、及び右面側壁部６Ｒの辺ｅ’ｒ’と内側フラップ１７Ｒの辺ｆ’ｆ１’との間には、隙間が設けられている。
【００８３】
この様に、各辺との間に隙間を設けることで、正面側壁部５、背面側壁部３、左面側壁部６Ｌ及び右面側壁部６Ｒを折り曲げる際のあそびができ、包装箱本体２１０の組み立て作業が容易となる。
【００８４】
なお、辺ｂｃ及び辺ｆｇは、辺ｄｅよりも距離Ｔの長さだけ中心線ＡＡ側に設けられており、辺ｂ’ｃ’及び辺ｆ’ｇ’も同様に辺ｄ’ｅ’よりも距離Ｔの長さだけ中心線ＡＡ側に設けられている。この様にすることで、背面側壁部３、左面側壁部６Ｌ、右面側壁部６Ｒ、及び正面側壁部５を下面部４に対して垂直に折り曲げた際に、辺ｂｃと辺ｄｏとの間、及び辺ｂ’ｃ’と辺ｄ’ｏ’との間に距離Ｔの幅の隙間があき、挿入口２６’が形成される。同様に辺ｆｇと辺ｅｒとの間、及び辺ｆ’ｇ’と辺ｅ’ｒ’との間にも距離Ｔの幅の隙間があき、挿入口２６が形成される。
【００８５】
内側フラップ１３Ｌ及び内側フラップ１３Ｒの線分ｂｔ１及び線分ｂ'ｔ１'からは左面側上面支持部２１１Ｌ及び右面側上面支持部２１１Ｒが、辺ｂｃ及び辺ｂ'ｃ'の延びる方向に延出している。同様に内側フラップ１７Ｌ及び内側フラップ１７Ｒの辺ｇｇ１及び辺ｇ'ｇ１'からは、左面側上面支持部２１２Ｌ、及び右面側上面支持部２１２Ｒが、辺ｆｇ及び辺ｆ'ｇ'の延びる方向に延出している。この左面側上面支持部２１１Ｌ，右面側上面支持部２１１Ｒ，左面側上面支持部２１２Ｌ及び右面側上面支持部２１２Ｒは、それぞれ左面側上面部１５Ｌ、及び右面側上面部１５Ｒを支持する部分である。
【００８６】
背面側壁部３の辺ａ１ａ１’からは、蓋部２１９が延出しており、蓋部２１９の辺のうち、辺ａ１ａ１’の反対側の辺の中央部付近には突出部２２０が設けられている。そして、突出部２２０と蓋部２１９にまたがって、左右対称の五角形の形状に切り抜かれた蓋係止部２２１が設けられている。
【００８７】
左面側内壁部１６Ｌと右面側内壁部１６Ｒの辺ｑｓ１及び辺ｑ’ｓ１’から、それぞれスペーサー部２２２Ｌ及びスペーサー部２２２Ｒが延出している。このスペーサー部２２２Ｌ及びスペーサー部２２２Ｒは、それぞれ左面側内壁部１６Ｌ及び右面側内壁部１６Ｒの外側に向かう面の方向に折り曲げられ、それぞれ左面側壁部６Ｌと左面側内壁部１６Ｌとの間、及び右面側壁部６Ｒと右面側内壁部１６Ｒとの間に配置される部分である。このようにスペーサー部２２２Ｌ及びスペーサー部２２２Ｒを配置することで、左面側内壁部１６Ｌ及び右面側内壁部１６Ｒの固定が安定する。さらに、左面側内壁部１６Ｌ、及び右面側内壁部１６Ｒにそれぞれ設けられた凹部２４Ｌ、及び凹部２４Ｒと、内蓋部９に設けられた凸部１９Ｌ、及び凸部１９Ｒとの係止も安定するため、内蓋部９の固定も安定することになる。
【００８８】
正面側壁部５の辺ｇｇ’の中央付近には、正面側壁部５と正面側上面部７にまたがって、略Ｕ字状の切り込み２１７が設けられている。そして、この切り込み２１７が、係止爪部２１５ａ及び係止爪部２１５ｂを他の部分から区画している。この係止爪部２１５ａ及び係止爪部２１５ｂの間には、折り線ｕ１ｕ１’が設けられており、係止爪部２１５ａと係止爪部２１５ｂを区画している。係止爪部２１５ａ及び係止爪部２１５ｂの両側には、左右対称に切り抜き部２１６が設けられている。この切り抜き部２１６の左右方向の長さは、突出部２２０の左右方向の長さと略同一であり、蓋部２１９を係止する際に、突出部２２０をこの切り抜き部２１６に挿入することができる。
【００８９】
次に、図９に従って包装部材３００について説明をする。包装部材３００は一枚のボール紙製シート材を、図９に示す様な形状に成形したシート部材Ｆを、折り曲げ等の組み立て作業を行って形成される。
【００９０】
正面包装部３１０の辺ｂ２ｂ２’からは、下面包装部３２０が辺ａ２ｂ２の延びる方向に延出している。また、正面包装部３１０の辺ａ２ｂ２、及び辺ａ２’ｂ２’からは、それぞれ辺ａ２ａ２’の延びる方向に、挿入フラップ３６０Ｌ及び挿入フラップ３６０Ｒが左右対称に延出している。この挿入フラップ３６０Ｌ及び挿入フラップ３６０Ｒは、辺ａ２ｂ２、及び辺ａ２’ｂ２’にて正面包装部３１０と直交する様に折り曲げられ、包装箱本体２１０に設けられた挿入口２６に挿入されて包装部材３００を包装箱本体２１０に固定する部分である。
【００９１】
正面包装部３１０の辺ａ２ａ２’の中央付近にある線分ｈ２ｈ２’から、突出部３８０が辺ａ２ｂ２の延びる方向に延出している。さらに線分ｈ２ｉ２及び線分ｈ２’ｉ２’にはそれぞれ切り込みが設けられている。この突出部３８０と前記一組の切り込みによって区画された部分が、包装部材係止部３７０である。なお本実施形態において包装部材係止部３７０が、実用新案登録請求の範囲における第二の係止部とされている。
【００９２】
正面包装部３１０の辺ｃ２ｃ２'からは、下面包装部３２０が辺ａ２ｂ２の延びる方向に延出しており、下面包装部３２０の辺ｄ２ｄ２'からは、背面包装部３３０が、辺ｃ２ｄ２の延びる方向に延出している。また、背面包装部３３０の辺ｅ２ｅ２'からは、上面包装部３４０が辺ｄ２ｅ２の延びる方向に延出しており、上面包装部３４０の辺ｆ２ｆ２’からは、辺ｅ２ｆ２の延びる方向に突出部３５０が延出している。辺ｆ２ｆ２’の中心付近に、上面包装部３４０と突出部３５０にまたがって略長方形の切り抜き穴が設けられており、当該切り抜き穴が包装部材係止部３９０である。
【００９３】
突出部３５０は正面包装部３１０と、正面側壁部５との間に差し込まれる部分であり、包装部材係止部３９０は、突出部３８０が挿入され、正面包装部３１０と上面包装部３４０を相互に係止する部分である。
【００９４】
なお、本実施形態において正面包装部３１０が、実用新案登録の請求の範囲における第一の包装面と、下面包装部３２０、背面包装部３３０及び上面包装部３４０が、第二の包装面とされている。
【００９５】
次に、包装箱２００の組み立て方法について説明をする。なお、第一の実施形態の場合と同様、以下の記載は組み立て方法の例示であって、これに限定される訳ではなく、本考案の趣旨を逸脱しない他の組み立て方法であってもよい。
【００９６】
はじめに、シート部材Ｅを折り曲げ、包装箱本体２１０を形成する。具体的には、背面側壁部３、正面側壁部５、左面側壁部６Ｌ、及び右面側壁部６Ｒを辺ｄｄ’，ｅｅ’，ｄｅ及びｄ’ｅ’を境に、下面部４に対して直交する様に内側に折り曲げる。この際、内側フラップ１３Ｌ及び内側フラップ１３Ｒを、それぞれ背面側壁部３と直交する様に辺ｂｃ及び辺ｂ’ｃ’にて内側に折り曲げておく。また、左面側上面支持部２１１Ｌ及び右面側上面支持部２１１Ｒを、線分ｂｔ１及び線分ｂ’ｔ１’にて内側フラップ１３Ｌ及び内側フラップ１３Ｒに対して直交する様に内側に折り曲げておく。
【００９７】
同様に、内側フラップ１７Ｌ及び内側フラップ１７Ｒも辺ｆｇ及び辺ｆ’ｇ’にて、正面側壁部５に対して直交する様に内側に折り曲げておく。この際、左面側上面支持部２１２Ｌ及び右面側上面支持部２１２Ｒを、辺ｇｇ１及び辺ｇ’ｇ１’にて内側フラップ１７Ｌ及び内側フラップ１７Ｒに対して直交する様に内側に折り曲げておく。
【００９８】
係止部１４Ｌと係止部１８Ｌとを係止することにより、内側フラップ１３Ｌ及び内側フラップ１７Ｌを係止する。さらに係止部１４Ｒと係止部１８Ｒとを係止することにより、内側フラップ１３Ｒ及び内側フラップ１７Ｒを係止する。これらの係止により、背面側壁部３と正面側壁部５が固定される。次に、正面側上面部７及び正面側内壁部８を辺ｇｇ’及び辺ｈｈ’にて内側に折り返す。この際、内蓋部９が、下面部４と略平行になるように辺ｊｊ’にて折り曲げ、内蓋部支持部１０が下面部４と直交する様に辺ｋｋ’にて折り曲げておく。
【００９９】
上記の様に折り曲げた、正面側上面部７、正面側内壁部８、内蓋部９及び内蓋部支持部１０を、包装箱本体２１０の内側に、内蓋部支持部１０の辺ｍｍ’が、下面部４の内側の面に当接するまで入れる。
【０１００】
次に、左面側上面部１５Ｌ、及び左面側内壁部１６Ｌを辺ｏｒ及び辺ｐｑにて内側に折り返し、凹部２４Ｌを内蓋部９の凸部１９Ｌに係止させる。同様に右面側上面部１５Ｒ、及び右面側内壁部１６Ｒを辺ｏ’ｒ’及び辺ｐ’ｑ’にて内側に折り返し、凹部２４Ｒを内蓋部９の凸部１９Ｒに係止させる。この際、スペーサー２２２Ｌ及びスペーサー２２２Ｒを、それぞれ辺ｑｓ１及び辺ｑ’ｓ１’にて左面側内壁部１６Ｌ及び右面側内壁部１６Ｒの外側を向く面に重なる様に折り返しておく。
【０１０１】
次に突出部２２０を、蓋部２１９に直交し辺ｇｇ’の方向に突出させる様に折り曲げ、蓋部２１９を辺ａ１ａ１’を軸として閉めていく。このとき、係止爪部２１５ａ及び係止爪部２１５ｂを折り線ｕ１ｕ１’にて係止爪部２１５ａが内側に向くように略Ｌ字状に折り曲げておく。蓋部２１９を閉めながら、突出部２２０を切り抜き部２１６に挿入する（図７参照。）。最後に、係止爪部２１５ａを蓋係止部２２１に挿入し、蓋部２１９を係止する。このとき、係止爪部２１５ｂは正面側壁部５の一部となっている。
【０１０２】
次に、包装部材３００の取り付け方法について説明をする。
まず、挿入フラップ３６０Ｒ及び挿入フラップ３６０Ｌを、正面包装部３１０の正面側壁部５と接する面の方向に、正面包装部３１０と直交する様に辺ａ２ｂ２及び辺ａ２’ｂ２’にて折り曲げる。
【０１０３】
次に、正面包装部３１０を、下面包装部３２０の下面部４と接する面の方向に、下面包装部３２０と直交する様に辺ｂ２ｂ２’にて折り曲げる。そして、正面包装部３１０と正面側壁部５を対向させ、近接させながら挿入フラップ３６０Ｒ及び挿入フラップ３６０Ｌを挿入口２６に挿入する（図１０参照。）。
【０１０４】
背面包装部３３０を辺ｄ２ｄ２’にて折り曲げ、背面側壁部３に重ね合わせる。さらに上面包装部３４０を辺ｅ２ｅ２’にて折り曲げ、内蓋部９に重ね合わせる。この際、突出部３５０を上面包装部３４０と直交し、正面包装部３１０の方向に突出する様に折り曲げておき、突出部３５０を、正面包装部３１０と正面側壁部５との間に挿入する。包装部材係止部３７０を、突出部３８０が包装部材係止部３９０の方向を向くように略Ｌ字状に折り曲げ、突出部３８０を包装部材係止部３９０に挿入する（図６参照。）。このとき、包装部材係止部３７０の領域のうち、突出部３８０以外の領域（領域ｈ２，ｉ２，ｉ２’，ｈ２’）は、正面包装部３１０の一部となっている。
【０１０５】
上記の構成からなる包装箱２００によれば、包装箱本体２１０の４つの面を包装部材３００にてスリーブ状に包装することができる。このため、例えば包装部材３００に内容物である商品等の固有情報を印刷しておけば、より多くの情報を顧客に提供でき、販促効果を増した包装箱とすることができる。また、従前のスリーブ状の包装部材にて包装箱を包装する場合には、そのままでは内部の包装箱が包装部材から抜け落ちてしまうため、テープ等の固定部材を用いる必要があった。しかしながら本実施形態にかかる包装箱２００では、包装部材３００は、挿入フラップ３６０Ｒ及び挿入フラップ３６０Ｌによって包装箱本体２１０に固定されているため、追加の固定部材は不要である。
【０１０６】
さらに、本実施形態にかかる包装箱２００では、包装箱本体２１０に蓋部２１９が設けられていることから、用途に応じ、包装箱本体２１０単体を商品等の包装箱として用いることが可能である。例えば、同一の商品であっても、使用者が当該商品をインターネット販売等の通信販売にて商品を購入する場合には、購入者は商品の情報を包装箱以外から得て購入しているため、包装箱の外装に多くの商品等固有情報が印刷されている必要はなく、その包装箱は簡易なもので十分である。このため、通信販売等のための包装箱としては、フレキソ印刷等の安価な印刷方法によって限定的な情報を外装に印刷した、包装箱本体２１０を用いれば、包装箱のコストを低減することが可能である。
【０１０７】
一方、店舗販売の場合には、商品が包装箱に包装された状態で陳列される場合も多く、外装に商品等の固有情報がオフセット印刷等で広告的な態様で印刷された、販促効果の期待できる包装箱が求められる。このため、店舗販売用には、前記包装箱本体２１０を、商品等の固有情報がオフセット印刷等にて広告的な態様で印刷された包装部材３００にて包装された包装箱２００を用いれば、販促効果を維持しながら、店舗販売用の包装箱のコストを低減することが可能である。さらには、包装箱本体２１０を通信販売用と店舗販売用で兼用できることから、包装箱の製造コストの低減及びその在庫コストの低減も可能である。
【０１０８】
なお、本考案の技術範囲は上記実施形態に限定されるものではなく、本考案の趣旨を逸脱しない範囲において種々の変更を加えることが可能である。
例えば、第一の実施形態の包装部材１００を、第二の実施形態の包装箱本体２１０と組み合わせてもよく、また、第二の実施形態の包装部材３００を第一の実施形態の包装箱本体２と組み合わせてもよい。また、第二の実施形態の包装部材３００に、第一の実施形態の包装部材１００のように、二組の挿入フラップを設けてもよく、さらにそれを第一の実施形態の包装箱本体２と組み合わせてもよい。
【０１０９】
また、第一の実施形態では、円弧状にカーブした角部１６０Ｒ及び角部１６０Ｌは挿入フラップ１４０Ｒ及び挿入フラップ１４０Ｌにのみ設けられていたが、これをもう一方の挿入フラップ１５０Ｒ及び挿入フラップ１５０Ｌに設けてもよい。また、第二の実施形態の包装部材３００の包装フラップに角部１６０Ｒ及び角部１６０Ｌを設けてもよく、前述の様に二組の挿入フラップを包装部材３００に設けた場合には、全ての挿入フラップに角部１６０Ｒ及び角部１６０Ｌを設けてもよい。
【０１１０】
第一の実施形態及び第二の実施形態では、包装箱本体と包装部材が同一の素材からなるシート材から形成される例を示したが、それらが異なる素材からなる公知のシート材から形成されてもよい。例えば包装箱本体が段ボール製のシート材から形成され、包装部材がボール紙製のシート材から形成されていたり、他の異なる二種類の材料からなるシート材から形成されていたりしてもよい。
【符号の説明】
【０１１１】
１  包装箱
２  包装箱本体
３  背面側壁部
４  下面部
５  正面側壁部
６Ｒ  右面側壁部
６Ｌ  左面側壁部
７  正面側上面部
８  正面側内壁部
９  内蓋部
１０  内蓋部支持部
１１  背面側上面部
１２  背面側内壁部
１３Ｒ，１３Ｌ  内側フラップ
１４Ｒ，１４Ｌ  係止部
１５Ｒ  右面側上面部
１５Ｌ  左面側上面部
１６Ｒ  右面側内壁部
１６Ｌ  左面側内壁部
１７Ｒ，１７Ｌ  内側フラップ
１８Ｒ，１８Ｌ  係止部
１９Ｒ，１９Ｌ  凸部
２０  切り欠き
２１  凸部
２２  切り込み
２３  切り抜き穴
２４Ｒ，２４Ｌ  凹部
２５  凹部
２６  挿入口
２６’  挿入口
１００  包装部材
１１０  正面包装部
１２０  上面包装部
１３０  背面包装部
１４０Ｒ，１４０Ｌ  挿入フラップ
１５０Ｒ，１５０Ｌ  挿入フラップ
１６０  凹部
１６０Ｒ  角部
１６０Ｌ  角部
２００  包装箱
２１０  包装箱本体
２１１Ｌ  左面側上面支持部
２１１Ｒ  右面側上面支持部
２１２Ｌ  左面側上面支持部
２１２Ｒ  右面側上面支持部
２１５ａ，２１５ｂ  係止爪部
２１６  切り抜き部
２１７  切り込み
２１８  蓋係止部
２１９  蓋部
２２０  突出部
２２１  蓋係止部
２２２Ｒ，２２２Ｌ  スペーサー部
３００  包装部材
３１０  正面包装部
３２０  下面包装部
３３０  背面包装部
３４０  上面包装部
３５０  突出部
３６０Ｒ，３６０Ｌ  挿入フラップ
３７０  包装部材係止部
３８０  突出部
３９０  包装部材係止部
Ａ，Ｂ  収納領域
Ｃ，Ｄ，Ｅ，Ｆ  シート部材
ＡＡ  中心線
【図１】
0003188022.tif 000003
【図２】
0003188022.tif 000004
【図３】
0003188022.tif 000005
【図４】
0003188022.tif 000006
【図５】
0003188022.tif 000007
【図６】
0003188022.tif 000008
【図７】
0003188022.tif 000009
【図８】
0003188022.tif 000010
【図９】
0003188022.tif 000011
【図１０】
0003188022.tif 000012